(57)【要約】      （修正有）【課題】内容物を小分けして取り出すことのできる、定量シリンジ型噴出器を提供する。【解決手段】指掛け部24を有するシリンジ20と、シリンジ20内に押し込み可能なプランジャPとを備える。プランジャPは、ピストン30を保持する保持部31にシャフト部34が形成された先端側部材31と、シャフト部34を通して順次スライド可能に組み付けられる複数の中間部材35と、シャフト部34を通してスライド可能に組み付けられる後端側部材45とを有する。中間部材35はそれぞれ、内向きに変形可能なアームを有し、アーム自由端に、弾性舌片と、弾性舌片の進入に次いでシリンジ後端に係止される係止突起39を設け、後端側部材45の押し込みの解除によりアームの拘束を解除して弾性舌片の復元力をアームに作用させることで、アームを内向きに変形させて係止突起39の係止を解除する。【選択図】図８
2014028081.tif 000002
【特許請求の範囲】
【請求項１】
指掛け部を有するシリンジと、当該シリンジ内に押し込み可能なプランジャとを備える定量シリンジ型噴出器であって、
プランジャは、ピストンを保持する保持部を有して後方に向かって伸びるシャフト部が形成された先端側部材と、前記シャフト部を通して順次スライド可能に組み付けられる複数の中間部材と、前記シャフト部を通してスライド可能に組み付けられる後端側部材とを有し、
前記中間部材はそれぞれ、固定端を基点に内向きに変形可能なアームを有し、当該アームの自由端に、前記後端側部材の押し込みにより、当該後端側部材又は後方に配置された他の中間部材が押圧してアームの動きを拘束する受圧面を形成するとともに、当該アームに、シリンジの後端開口部から進入して当該シリンジの内周面との間で撓み変形を生じる弾性舌片と、当該弾性舌片の進入に次いでシリンジの後端に係止される係止突起を設けられたものであり、
前記後端側部材は、その押し込みの解除により前記アームの拘束を解除して前記弾性舌片の復元力を当該アームに作用させることで、アームを内向きに変形させて前記係止突起の係止を解除するものであることを特徴とする定量シリンジ型噴出器。
【請求項２】
請求項１において、アームの自由端に段差を設け、当該段差の底面を前記受圧面に形成するとともに、当該段差の側面をテーパ面に形成したことを特徴とする定量シリンジ型噴出器。
【請求項３】
請求項１又は２において、前記係止突起にテーパ面を形成したことを特徴とする定量シリンジ型噴出器。
【請求項４】
請求項１乃至３のいずれか１項において、シリンジの先端部に噴霧ノズルを設けたことを特徴とする定量シリンジ型噴出器。
【発明の詳細な説明】
【技術分野】
【０００１】
本発明は、指掛け部を有するシリンジと、当該シリンジ内に押し込み可能なプランジャとを備える定量シリンジ型噴出器であって、プランジャの押し込みを段階的に行うための技術に関するものである。
【背景技術】
【０００２】
シリンジ型噴出器には、例えば、シリンジ内にプランジャを押し込んで薬液などの内容物を取り出すものがある（例えば、特許文献１参照）。
【先行技術文献】
【特許文献】
【０００３】
【特許文献１】特開平７−２１３６１２号公報
【発明の概要】
【発明が解決しようとする課題】
【０００４】
しかしながら、従来のシリンジ型噴出器は、シリンジ内にプランジャを押し込むにすぎないため、内容物を小分けして噴出することが困難であった。
【０００５】
本発明の目的とするところは、内容物を小分けして噴出することができる、新規な定量シリンジ型噴出器を提供することにある。
【課題を解決するための手段】
【０００６】
本発明は、指掛け部を有するシリンジと、当該シリンジ内に押し込み可能なプランジャとを備える定量シリンジ型噴出器であって、
プランジャは、ピストンを保持する保持部を有して後方に向かって伸びるシャフト部が形成された先端側部材と、前記シャフト部を通して順次スライド可能に組み付けられる複数の中間部材と、前記シャフト部を通してスライド可能に組み付けられる後端側部材とを有し、
前記中間部材はそれぞれ、固定端を基点に内向きに変形可能なアームを有し、
当該アームの自由端に、前記後端側部材の押し込みにより、当該後端側部材又は後方に配置された他の中間部材が押圧してアームの動きを拘束する受圧面を形成するとともに、当該アームに、シリンジの後端開口部から進入して当該シリンジの内周面との間で撓み変形を生じる弾性舌片と、当該弾性舌片の進入に次いでシリンジの後端に係止される係止突起が設けられたものであり、
前記後端側部材は、その押し込みの解除により前記アームの拘束を解除して前記弾性舌片の復元力を当該アームに作用させることで、アームを内向きに変形させて前記係止突起の係止を解除するものであることを特徴とするものである。
【０００７】
本発明では、アームの自由端側に段差を設け、当該段差の底面を前記受圧面に形成するとともに、当該段差の側面をアームの自由端側を案内するテーパ面に形成することができる。また、本発明では、前記係止突起にテーパ面を形成することもできる。さらに本発明によれば、シリンジの先端部には、噴霧ノズルを設けることができる。
【発明の効果】
【０００８】
本発明によれば、少なくともプランジャを構成する中間部材の個数に応じた分だけ、内容物を小分けして取り出すことができる。また、本発明では、後端側部材の押し込みを緩めるだけで、新たな噴出が可能になるため、噴出を行うごとに持ち替える必要がない。このため、使用者は、複数の小分け作業を片手操作で行うことができる。
【０００９】
特に、本発明によれば、弾性舌片を係止突起に最も近い位置に配置できるため、噴出途中にプランジャの押し込みを停止しても、係止突起が解除されることなく、定量された内容液を正確に噴出させることができる。
【図面の簡単な説明】
【００１０】
【図１】本発明である、シリンジ型噴出器の一実施形態である、カートリッジ式点鼻薬噴霧器であって、その分解状態を示す部分断面図である。
【図２】（ａ）は、同実施形態に係る中間部材を後端側から示す平面図であって、（ｂ）は、同（ａ）のＸ−Ｘ断面図である。
【図３】同実施形態に係る中間部材を後端側から示す斜視図である。
【図４】同実施形態に係る中間部材を先端側部材に組み付ける工程を模式的に示す斜視図である。
【図５】組み付けが完了した同実施形態のカートリッジ式点鼻薬噴霧器であって、（ａ）は、その操作前の初期状態を一部断面で示す側面図であり、（ｂ）は、１回目の噴出が完了した状態を一部断面で示す側面図である。
【図６】同点鼻薬噴霧器であって、（ａ）は、図５（ｂ）の要部拡大断面図であり、（ｂ）は、２回目の噴出を開始するためにプランジャの押し込みを緩めた状態を示す要部拡大断面図である。
【図７】同点鼻薬噴霧器にあって、（ａ）は、２回目の噴出が完了した状態を一部断面で示す側面図であり、（ｂ）は、３回目の噴出を開始するためにプランジャの押し込みを緩めた状態を一部断面で示す側面図である。
【図８】同点鼻薬噴霧器にあって、（ａ）は、３回目の噴出が完了した状態を一部断面で示す側面図であり、（ｂ）は、４回目の噴出を開始するためにプランジャの押し込みを緩めた状態を一部断面で示す側面図である。
【図９】同点鼻薬噴霧器にあって、４回目の噴出が完了した状態を一部断面で示す側面図である。
【図１０】同点鼻薬噴霧器にあって、（ａ）は、５回目の噴出を開始するためにプランジャの押し込みを緩めた状態を一部断面で示す側面図であり、（ｂ）は、５回目の噴出が完了した状態を一部断面で示す側面図である。
【図１１】本発明に従う中間部材の他の実施形態を後端側から示す斜視図である。
【発明を実施するための形態】
【００１１】
以下、図面を参照して、本発明である、シリンジ型噴出器の一実施形態である、カートリッジ式点鼻薬噴霧器１０を詳細に説明する。
【００１２】
図１中、符号Ｃは、例えば、内容物としての点鼻薬Ｍが充填されたカートリッジである。符号２０は、カートリッジＣを構成する合成樹脂製又はガラス製の定量シリンジである。シリンジ２０は、点鼻薬Ｍを充填可能な中空の胴部２１を有し、この胴部２１には、肩部２２を介して先端部２３が一体に繋がる。先端部２３は、胴部２１よりも小径としてなる。先端部２３には、キャップ２７が取り外し可能に装着されている。キャップ２７は、先端部２３の内側に形成された排出孔Ａ１を密封する。また、胴部２１には、先端部２３と対向する後端部２０ｅに、指掛け部２４が一体に設けられている。指掛け部２４には、シリンジ２０内を外界に通じさせる開口部Ａ２が形成されている。この実施形態では、開口部Ａ２を通してピストン３０が予めシリンジ２０内に配置されている。ピストン３０は、例えば、ゴムなどの弾性材料からなり、シリンジ胴部２１の内周面２１ｆに摺動可能に保持されている。これにより、シリンジ２０内に充填された点鼻薬Ｍは、キャップ２７とピストン３０によって密封保持される。
【００１３】
次に、符号Ｐは、シリンジ２０内に収納される合成樹脂製のプランジャである。符号３１は、プランジャＰを構成する先端側部材である。先端側部材３１は、ピストン３０を保持する保持部３２を有する。保持部３２の先端には、ねじ部３３が形成されている。本形態では、ピストン３０は、ねじ部３３によって取り外し可能に装着することができる。また、保持部３２には後方に向かって伸びるシャフト部３４が形成されている。本実施形態では、シャフト部３４は、丸棒として構成されている。但し、本発明に従えば、シャフト部３４は角形等、その断面形状を問わない。
【００１４】
図２（ａ）は、プランジャＰを構成する中間部材３５である。中間部材３５は、円筒形の本体３６を有する。本体３６の内側には、貫通孔Ａ３が形成されている。図１に示すように、貫通孔Ａ３（図１中では例示的に一箇所のみ表示）は、シャフト部３４をスライド可能に貫通させることができる。本形態では、同図に示すように、シャフト部３４を通して４つの中間部材３５が組み付けられている。中間部材３５にはそれぞれ、２つのアーム３７（図１中では例示的に一の中間部材の一方のみに表示）が一体に設けられている。アーム３７は、図２（ｂ）に示すように、貫通孔Ａ３を挟んで対向する位置に配置されている。アーム３７はそれぞれ、本体３６の外周面に沿った形状を有し、本体３６から軸線Ｏに沿って後方に伸びる。アーム３７はそれぞれ、外力を負荷することによって固定端３７ａを起点に径方向（軸線Ｏに直交する方向）内向きに変形させることができるとともに、その負荷を解除することによって初期位置（図２（ｂ）の状態）に復元させることができる。これにより、アームの自由端３７ｂ（図２（ｂ）中では例示的に一方のみ表示）は、径方向内向きに変位させることができるとともに、初期位置に復帰させることができる。
【００１５】
アーム３７には、弾性舌片３８が設けられている。弾性舌片３８は、アーム３７に形成された開口部Ａ４（図２（ｂ）中では例示的に一方のみ表示）に配置されている。弾性舌片３８の固定端３８ａは、図３に示すように、開口部Ａ４を形作る縁部のうち、先端側（アームの固定端３７ａ側）の開口部縁部３８ｂに対して一体に成形されている。弾性舌片３８の固定端３８ａは、アーム３７の外表面と同一面を形成する。
【００１６】
弾性舌片３８は、後端側（アームの自由端３７ｂ側）に向かって外向きに湾曲する。また、図２（ｂ）に示すように、軸線Ｏを挟んで向い合う２つの末端３８ｂは、その間の径方向距離がシリンジ２０の内径（本形態では、シリンジの後端開口部Ａ２と同径）よりも大きく設定されている。これにより、弾性舌片３８は、シリンジ２０の後端開口部Ａ２に接触すると、その末端３８ｂ側が自由端側として、固定端３８ａを起点に撓み変形することで、シリンジ２０に進入することができる。本形態では、弾性舌片３８は、末端３８ｂに向かって外向きに湾曲していることから、シリンジの後端開口部Ａ２からシリンジ２０内に容易に進入させることができる。また、弾性舌片３８は、末端３８ｂによってシリンジの内周面２１ｆを摺動することができる。
【００１７】
さらに、アーム３７には、係止突起３９が一体に設けられている。本形態では、係止突起３９は、アーム３７の自由端部分に一体に形成されている。これにより、本形態では、係止突起３９の後端面は、アームの自由端３７ｂとして構成される。なお、本形態では、図２（ｂ）に示すように、アームの自由端３７ｂは、軸線Ｏに直交する水平線に対して外向きに角度θで減少するテーパをつけている。θの値は、点鼻薬噴霧器の大きさ等に応じて、適宜変更することができる。但し、本発明に従えば、アームの自由端３７ｂは、アーム３７が初期状態にあるとき、係止突起３９の後端面を水平線に沿って平行な平坦面に形成するように構成することも可能である。
【００１８】
また、本形態では、図２（ｂ）に示すように、弾性舌片３８の末端３８ｂ（弾性舌片３８の自由端側）が、係止突起３９に最も近い位置に配置されるように構成されている。加えて、本形態では、係止突起３９に段差４０（図２（ｂ）中では例示的に一方のみ表示）が設けられている。段差４０は、アーム３７の内側に形成されている。本形態では、段差４０は、平坦な段差底面４０ａと、この底面４０ａに繋がる段差側面４０ｂで形作られる。本形態では、段差底面４０ａは後述のとおり、受圧面を構成する。また段差側面４０ｂは、外向きに傾斜するテーパ面として形成されている。
【００１９】
さらに、本体３６には、図３に示すように、アーム３７よりも厚肉に形成された２つの支持部４１が一体に設けられている。支持部４１は、貫通孔Ａ３を挟んで対向する位置に配置されている。支持部端面４１ａはそれぞれ、本体３６からの長さがアーム３７に設けた段差底面４０ａと同一の平坦な面を構成する。これにより、本形態では、支持部端面４１ａは、段差底面４０ａとともに後述の受圧面を構成する。
【００２０】
これにより、図４に示すように、先端側部材３１のシャフト部３４に第１の中間部材３５を通すと、図１に示すように、中間部材３５の先端面３５ｆが先端側部材３１の保持部３２の後端面３２ｆに接触して第１の中間部材３５を先端側部材３１に対して軸線Ｏ方向に位置決めできる。次いで、第２の中間部材３５をシャフト部３４に通すと、その先端面３５ｆが第１の中間部材３５のアーム３７に形成された段差底面４０ａに接触するとともに、当該第１の中間部材３５の支持部４１に形成された支持部端面４１ａに接触することで、第２の中間部材３５を先端側部材３１に対して軸線Ｏ方向に位置決めできる。これと同様の組み付けを行うことで、第３及び第４の中間部材３５も先端側部材３１に対して軸線Ｏ方向に位置決めできる。
【００２１】
一方、符号４５は、シャフト部３４に組み付けられる後端側部材である。後端側部材４５は、円筒形の本体４５ａを有する。本体４５ａの内側には、貫通孔Ａ５が形成されている。貫通孔Ａ５は、図１に示すように、シャフト部３４をスライド可能に貫通させることができる。また、後端側部材４５の先端は、中間部材３５の先端面３５ｆと同様、その先端面４５ｆが第４の中間部材３５のアーム３７に形成された段差底面４０ａに接触するとともに、当該第４の中間部材３５の支持部４１に形成された支持部端面４１ａに接触することで、先端側部材３１に対して軸線Ｏ方向に位置決めできる。本実施形態では、後端側部材４５は、シャフト部３４に対してスライド可能に圧入されている。加えて、後端側部材４５の後端には、フランジ４５ｂが設けられている。フランジ部４５ｂは、使用者がプランジャＰを押し込むための操作部として構成されている。これにより、後端側部材４５は、フランジ部４５ｂを押圧すると、中間部材３５を介して先端側部材３１をシリンジ２０内に押し込むことができる。すなわち、シリンジ２０に充填された点鼻薬Ｍは、プランジャＰの押し込みによって、先端部２３に形成した排出孔Ａ１に圧送される。
【００２２】
さらに、符号Ｎは、シリンジ２０に対して着脱可能なノズルである。ノズルＮは、シリンジ先端部２３に取り外し可能に嵌合する本体６１を有する。本体６１には、噴霧チップ６２が内蔵されている。また本体６２の先端には、噴霧チップ６２に通じる噴出孔Ａ６が形成されている。これにより、ノズルＮは、噴出孔Ａ６を通して点鼻薬Ｍを外界に噴出させることができる。
【００２３】
ここで、本実施形態の使用方法を説明する。
使用者は先ず、図１に示すカートリッジＣにプランジャＰをねじ込む。これにより、プランジャＰは、カートリッジＣ内に配置されたピストン３０に固定される。次に、シリンジ２０からキャップ２７を取り外した後、シリンジ先端部２３に噴霧ノズルＮを装着する。これにより、図５（ａ）に示すように、点鼻薬噴霧器１０の組み付けが完了する。
【００２４】
次に、図５（ａ）に示す状態で、人差し指と中指を指掛け部２４に掛けてフランジ部４５ｂを親指で押さえてノズルＮを一方の鼻の穴に挿入した後、フランジ部４５ｂを押し込む。すると、中間部材３５は、ピストン３０からの液圧を受ける先端側部材３１と、使用者の押圧力を受ける後端側部材４５との間で挟持されるため、先端側部材３１、中間部材３５及び後端側部材４５はプランジャＰとして一体となってシリンジ２０内に押し込まれる。このため、ピストン３０もプランジャＰとともにシリンジ２０内に押し込まれることで、点鼻薬Ｍの噴出が可能になる。点鼻薬Ｍの噴出は、第１の中間部材３５に設けられたアーム３７の係止突起３９がシリンジ後端側開口部Ａ２に接触するストロークＬ１まで行うことができる。このとき、アーム３７に設けた弾性舌片３８は、その弾性舌片３８が後端側に向かって外向きに湾曲し、その末端３８ｂが径方向外向きに指向するため、シリンジ後端開口部Ａ２からシリンジ２０内に進入させることができる。
【００２５】
また、第１の中間部材３７の弾性舌片３８がシリンジ２０内に進入すると、第２の中間部材３５の先端面３５ｆが第１の中間部材３５のアーム３７に形成された段差底面４０ａを受圧面として押圧して、第１の中間部材３５のアーム３７を拘束するため、第１の中間部材３５の弾性舌片３８には、図５（ｂ）に示すように、アーム３７とつながる固定端３８ａを起点にした撓み変形が生じる。このため、弾性舌片３８は、シリンジの内周面２１ｆを摺動することができる。これにより、図５（ｂ）に示すように、プランジャＰは、弾性舌片３８が邪魔になることなく押し込まれることで、当該弾性舌片３８に次いで係止突起３９がシリンジの後端２０ｅに接触するまで、一定量の点鼻薬Ｍを鼻の穴に噴出させることができる。
【００２６】
図５（ｂ）に示すように、係止突起３９がシリンジ２０の後端２０ｅに接触すると、プランジャＰを押し込むことができなくなるので、シリンジ２０内に点鼻薬Ｍを残した状態で１回目の噴出は終了する。この時点でのシリンジ２０内の容量は、使用目的に応じて適宜選択できるが、例えば、中間部材３５と後端側部材４５の個数から、噴出開始前の容量の５分の１とする。
【００２７】
プランジャＰを押し込めなくなった後は、プランジャＰの押し込みを緩めると、第２の中間部材３５からの押圧力に伴う、第１の中間部材３５におけるアームの自由端３７ｂの拘束が解除される。このとき、シリンジの内周面２１ｆに接触する弾性舌片３８に生じていた撓み変形の復元力が反作用として、第１の中間部材３５のアーム３７に作用する。このため、第１の中間部材３５のアーム３７は、図６（ａ）の状態から同図（ｂ）に示すように、第２の中間部材３５を後端側部材４５とともに押し戻しつつ、固定端３８ａを起点に斜め内向きに変形する。このため、第１の中間部材３５の係止突起３９もアームの自由端３７ｂ側に追従するように斜め内向きに変位することで、同図（ｂ）に示すように，当該係止突起３９の係止状態が解除される。
【００２８】
特に、本実施形態では、プランジャＰを押し込んだとき、第２の中間部材３５の先端面３５ｆは、第１の中間部材３５の段差側面４０ｂで規制されることで、第１の中間部材３５を効果的に押し込むことができる。また、プランジャＰの押し込みを解除すれば、第１の中間部材３５の段差側面４０ｂが第２の中間部材３５に対する案内になるため、第１の中間部材３５のアームの自由端３７ｂ側が容易に第２の中間部材３５を押し戻しつつ内向きに変形することができる。
【００２９】
本実施形態では、図６（ｂ）に示すように、アーム３７の係止が解除されるのに伴い第２の中間部材３５が押し戻された後、同図（ｂ）に示すように、第２の中間部材３５の先端面３５ｆは、係止突起３９に接触させることができる。特に、本実施形態では、上述のとおり、係止突起３９の後端面は、アームの自由端３７ｂとして構成されるとともに、角度θのテーパ面としてなる。このため、アームの自由端３７ｂは、同図（ｂ）に示すように、アーム３７が内向きに変形した状態で平坦な受圧面として構成されることで、再度プランジャＰを押し込めば、第２の中間部材３５の先端面３５ｆから押圧力を効果的に受けることができる。これにより、プランジャＰの押し込みを緩めた後、再びプランジャＰを押し込めば、図７（ａ）に示すように、ストロークＬ２の分だけ、２回目の噴出が可能になる。
【００３０】
加えて、本実施形態では、４つの中間部材３５が後端側部材４５とともに先端側部材３１のシャフト部３４を通して順次スライド可能に組み付けられている。このため、以下同様に、図７（ｂ）に示すように押圧を解除した後、再度のプランジャＰを押し込めば、図８（ａ）に示すように、ストロークＬ３の分だけ、３回目の噴出が可能になり、その後、図８（ｂ）に示すように押圧を解除した後、再度のプランジャＰを押し込めば、図９に示すように、ストロークＬ４の分だけ、４回目の噴出が可能になり、さらにその後、図１０（ａ）に示すように押圧を解除した後、再度のプランジャＰを押し込めば、同図（ｂ）に示すように、ストロークＬ５の分だけ、５回目の噴出が可能になる。このように、中間部材３５ごとに上記操作を繰り返せば、中間部材３５の個数と後端側部材４５の分だけ、複数の噴出が可能になる。
【００３１】
上述のように、本実施形態によれば、少なくともプランジャＰを構成する中間部材３５の個数に応じた分だけ、点鼻薬Ｍを小分けして噴出することができる。また、本実施形態では、プランジャＰの押し込みを緩めるだけで、新たな噴出が可能になるため、噴出を行うごとに持ち替える必要がない。このため、使用者は、複数の点鼻薬Ｍの小分けを片手操作で行うことができる。なお、本実施形態では、ストロークＬ１〜Ｌ５は、同一のストローク量としているが、そのストローク量は、中間部材３５を変更等とすることで、適宜変更することができる。
【００３２】
また、本形態によれば、シリンジ２０に対するアーム３７の係止が当該アーム３７に設けた弾性舌片３８の復元力で解除されるため、アーム３７に対して弾性舌片３８をどの位置に配置しても、アームの自由端３７ｂに対する押圧を解除すれば、アーム３７の係止を解除することができる。このため、本実施形態のように、弾性舌片３８を係止突起３９に最も近い位置に配置することができる。この場合、アーム３７が係止される直前まで弾性舌片３８が変形しないことから、点鼻薬Ｍの噴出の途中にプランジャＰの押し込みを緩めたり、解除しても、アーム３７はシリンジ２０に対して係止可能な状態を維持する。このため、本実施形態のように、弾性舌片３８を係止突起３９に最も近い位置に配置すれば、噴出途中にプランジャＰの押し込みを停止しても、定量された内容液が変化することなく、定量噴出を正確に行うことができる。
【００３３】
なお、図１１には、中間部材３５の他の実施形態を後端側から示す。この実施形態では、アームの固定端３７ａは、本体３６の後端３６ｆから一体に起立する幅の狭い部位として構成されている。この中間部材５の実施形態では、アームの固定端３７ａは、弾性舌片３８とほぼ同一の幅で構成されている。この場合、アーム３７は、固定端３７ａを基点に比較的容易に変形させることができる。なお、図１１中、他の実施形態と実質的に同一の部分は、同一符号をもって、その説明を省略する。
【００３４】
上述したところは、本発明の様々な実施形態であるが、本発明に従えば、様々な変更が可能となる。例えば、アーム３７は、２以上設けることができる。特に、本実施形態のように、偶数個で配置すれば、軸線Ｏ周りのバランスが安定するため、良好な操作が実現できる。また、弾性舌片３８は、本実施形態のように、アーム３７に形成した開口部Ａ４に収納すれば、噴霧器の大径化を防止することができる。但し、本発明に従えば、弾性舌片３８は、開口部Ａ４に収納させることなく、アーム３７の外表面から伸ばすこともできる。上述の実施形態では、シリンジ型噴霧器１０を噴出器として説明したが、本発明に従えば、ノズルＮを変更することにより、泡として噴出させ、または、通常の液体として噴出させるなど、内容物を様々な形態で噴出させることができる。また、ノズルＮを取り付けることなく、排出孔Ａ１から直接内容物を噴出させることにより、シリンジ２０に充填された様々な種類の内容物Ｍを複数回にわたって小分けして取り出すこともできる。さらに、シリンジ型噴霧器１０は、カートリッジ式ではなく、使い切りの噴霧器として構成することができる。
【産業上の利用可能性】
【００３５】
本発明は、フランジ部を有するシリンジと、当該シリンジ内に押し込み可能なプランジャとを備えるシリンジ型噴出器であれば、様々な形態のものに採用することができる。内容物も、点鼻薬に限定されることなく、様々なものを採用することができる。
【符号の説明】
【００３６】
１０    点鼻薬噴霧器（シリンジ型噴出器）
２０    シリンジ
２１    胴部
２２    肩部
２３    先端部
２４    指掛け部
２７    キャップ
３０    ピストン
３１    先端側部材
３２    ピストン保持部
３２ｆ  後端面
３３    ねじ部
３４    シャフト部
３５    中間部材
３５ｆ  中間部材先端面
３６    本体
３７    アーム
３７ａ  アーム固定端
３７ｂ  アーム自由端
３８    弾性舌片
３８ａ  弾性舌片固定端
３８ｂ  弾性舌片末端
３９    係止突起
４０    段差
４０ａ  段差底面（受圧面）
４０ｂ  段差側面
４１    支持部
４１ａ  支持部上端面
４５    後端側部材
４５ａ  本体
４５ｂ  フランジ部
６０    ノズル
６１    ノズル本体
６２    噴霧チップ
Ａ１    排出孔
Ａ２    シリンジ後端開口部
Ａ３    貫通孔
Ａ４    開口部
Ａ５    貫通孔
Ａ６    ノズル噴出孔
Ｃ      カートリッジ
Ｍ      点鼻薬（内容物）
Ｎ      ノズル
Ｐ      プランジャ
【図１】
2014028081.tif 000003
【図２】
2014028081.tif 000004
【図３】
2014028081.tif 000005
【図４】
2014028081.tif 000006
【図５】
2014028081.tif 000007
【図６】
2014028081.tif 000008
【図７】
2014028081.tif 000009
【図８】
2014028081.tif 000010
【図９】
2014028081.tif 000011
【図１０】
2014028081.tif 000012
【図１１】
2014028081.tif 000013